(57)【要約】【課題】  トイレタンクの検出式注水装置の提供。【解決手段】  検出装置に制御される電磁弁がタンク内の注水セットと排水セットの間に置かれ、並びに水が流通する管路が電磁弁から注水セットに至る管路に接続されると共に、排水セット上側辺の気圧シリンダ後端に接続され、気圧シリンダのシリンダヘッドの露出した上端がレバーの中段を支持し、該レバーの一端が排水セット上端に枢設され、もう一端がロープで排水口の制御弁に接続され、以上の構造により、タンクケース外側に取り付けられた検出装置が使用者の動作形態を検出して電磁弁を起動して水を注水セットより導入して気圧シリンダ部分に向かわせ、さらに気圧シリンダを駆動してレバーを引き上げて排水弁を開放し便器中に水を排出させる。【選択図】        図１
0003104018.tif 000002
【実用新案登録請求の範囲】
【請求項１】
電磁弁、注水セット、排水セット、気圧シリンダ、レバー、ロープ、排水弁及び検出装置を具えたトイレタンクの検出式注水装置であり、
該電磁弁は注水セットと排水セットの間のタンク内部に設けられ、その弁の一端が管路で注水セットの注水管側端に接続され、
該気圧シリンダは、排水セットの上端傍らに設けられ、その内部にシリンダヘッドが設けられ、該シリンダヘッドの一端は気圧シリンダ中に置かれ、別端はＵ形状を呈して気圧シリンダ外に露出し、該気圧シリンダのシリンダヘッドが露出する端部と反対の下端は、管路で排水セットを跨いで前述の電磁弁の注水セットに接続された端部と反対の端部に接続され、
該レバーは、一端が排水セットの上端に枢設され、別端である自由端に開孔が設けられて該開孔に排水弁に結びつけられたロープが結びつけられ、枢設端と自由端の間の一カ所が気圧シリンダのシリンダヘッドのＵ形状の上端に支持され、
該排水弁は、タンクの排水制御弁とされ、その一端上部がロープでレバーの自由端に接続され、別端が排水セットの底部近くに枢設され、
該検出装置は、タンクケースの外部に取り付けられ、電池とセンサを具え、並びに電磁弁に接続されていることを特徴とする、トイレタンクの検出式注水装置。
【請求項２】
請求項１記載のトイレタンクの検出式注水装置において、気圧シリンダ内のシリンダヘッドにコイルスプリングが巻装されたことを特徴とする、トイレタンクの検出式注水装置。
【請求項３】
請求項１記載のトイレタンクの検出式注水装置において、気圧シリンダ内のシリンダ壁のシリンダヘッドの上下行程の限界点に洩水用の側方向開孔が設けられたことを特徴とする、トイレタンクの検出式注水装置。
【請求項４】
請求項１記載のトイレタンクの検出式注水装置において、排水弁が浮力を受けて上下に浮動する部品とされたことを特徴とする、トイレタンクの検出式注水装置。
【請求項５】
請求項１記載のトイレタンクの検出式注水装置において、排水弁が浮力を受けても上下に浮動しない部品とされたことを特徴とする、トイレタンクの検出式注水装置。
【請求項６】
請求項１記載のトイレタンクの検出式注水装置において、電磁弁がタンク内の最高貯水位より上方に設けられたことを特徴とする、トイレタンクの検出式注水装置。
【考案の詳細な説明】
【技術分野】
【０００１】
本考案はトイレタンクの検出式注水装置に係り、水力でレバーを押し上げて排水弁を開放し注水を行なう装置に関する。
【背景技術】
【０００２】
トイレの洗浄用の水はタンク或いはフラッシュ（Ｆｌｕｓｈ）の二種類の方式で貯められ、注水の制御も手動或いは電動検出に分かれる。既知のトイレ注水技術中、水管の給水形式は手動或いは電動検出の二種類の方式で注水の制御が行なわれる。タンク式給水では大半は手動でタンク内の注水部品を制御することで注水を行ない、全面的な電動制御が導入されていない原因は、電子部品が長期に湿ったタンク中に置かれると短絡、故障を発生し、注水の正常な運転が妨げられるようになるためである。しかし、タンク式トイレにも自動検出注水の例はあり、それはフラッシュ形式と同様の自動センサにより使用者の駐留時間を検出し、並びに注水条件に符合する時にモータを駆動して巻軸を回転させ排水弁に接続されたロープを巻取り、これにより排水弁を開いてタンク中の水を便器に流す目的を達成する。該モータは回路或いは偏心カムの制御により、更にその巻軸を反転させてロープを下ろして排水弁に再度水の便器中への注入を阻止させ、注水停止の目的を達成する。
【考案の開示】
【考案が解決しようとする課題】
【０００３】
上述のトイレタンクの自動注水装置は、フラッシュのような自動検出注水の効果を達成するが、その欠点はその応用に障害があり、例えば電動機或いはモータで排水弁上のロープを巻き上げる時に交流電源を利用しなければならず、電力を消耗し且つ停電時には操作できないことにある。また、排水弁を巻き上げるモータ或いは電動機は、湿ったタンク中に置かれると直接水に接触しなくとも錆を発生して正常な巻き上げ動作が行なえなくなる。タンク式給水の自動検出注水トイレは、以上のような欠点を有しており、ゆえに大量に日常生活のトイレには利用されていない。
【課題を解決するための手段】
【０００４】
請求項１の考案は、電磁弁、注水セット、排水セット、気圧シリンダ、レバー、ロープ、排水弁及び検出装置を具えたトイレタンクの検出式注水装置であり、
該電磁弁は注水セットと排水セットの間のタンク内部に設けられ、その弁の一端が管路で注水セットの注水管側端に接続され、
該気圧シリンダは、排水セットの上端傍らに設けられ、その内部にシリンダヘッドが設けられ、該シリンダヘッドの一端は気圧シリンダ中に置かれ、別端はＵ形状を呈して気圧シリンダ外に露出し、該気圧シリンダのシリンダヘッドが露出する端部と反対の下端は、管路で排水セットを跨いで前述の電磁弁の注水セットに接続された端部と反対の端部に接続され、
該レバーは、一端が排水セットの上端に枢設され、別端である自由端に開孔が設けられて該開孔に排水弁に結びつけられたロープが結びつけられ、枢設端と自由端の間の一カ所が気圧シリンダのシリンダヘッドのＵ形状の上端に支持され、
該排水弁は、タンクの排水制御弁とされ、その一端上部がロープでレバーの自由端に接続され、別端が排水セットの底部近くに枢設され、
該検出装置は、タンクケースの外部に取り付けられ、電池とセンサを具え、並びに電磁弁に接続されていることを特徴とする、トイレタンクの検出式注水装置としている。
請求項２の考案は、請求項１記載のトイレタンクの検出式注水装置において、気圧シリンダ内のシリンダヘッドにコイルスプリングが巻装されたことを特徴とする、トイレタンクの検出式注水装置としている。
請求項３の考案は、請求項１記載のトイレタンクの検出式注水装置において、気圧シリンダ内のシリンダ壁のシリンダヘッドの上下行程の限界点に洩水用の側方向開孔が設けられたことを特徴とする、トイレタンクの検出式注水装置としている。
請求項４の考案は、請求項１記載のトイレタンクの検出式注水装置において、排水弁が浮力を受けて上下に浮動する部品とされたことを特徴とする、トイレタンクの検出式注水装置としている。
請求項５の考案は、請求項１記載のトイレタンクの検出式注水装置において、排水弁が浮力を受けても上下に浮動しない部品とされたことを特徴とする、トイレタンクの検出式注水装置としている。
請求項６の考案は、請求項１記載のトイレタンクの検出式注水装置において、電磁弁がタンク内の最高貯水位より上方に設けられたことを特徴とする、トイレタンクの検出式注水装置としている。
【考案の効果】
【０００５】
本考案は一種の検出式の自動トイレ注水装置を提供し、それは、タンク式トイレの使用環境に対して設計されたものである。その主要な特徴は、直流電磁弁をタンクの注水セットと排水セットの間に設け、並びに水管を注水セットと電磁弁の間、及び電磁弁から気圧シリンダの間に接続し、気圧シリンダのシリンダヘッド上端でレバーの中間位置近くを支持し、該レバーの開放末端を引き線でタンクの排水弁に接続したことにある。上述の構造特徴により、該電磁弁がタンクケースに取り付けられた制御を受け、注水条件に符合する状態の時、検出装置が電磁弁を駆動して動作させ、注水セットの注水管中の水を水管を通して導入し並びに一端の気圧シリンダ中に流し、さらに気圧シリンダ中のシリンダヘッドを水力により持ち上げてレバーを上に起こし、並びに引き線により排水弁を開放させて水を便器中に流入させて注水効果を達成する。
【０００６】
以上の構造及びその動作形態により本考案が既知のタンク式トイレの自動注水装置の欠点を改善することが分かる。例えば直流電磁弁を起動の装置とすることで、周知の交流電源を利用したモータよりも節電でき、且つ既存の乾電池で電源を供給でき、交流電源が停電した場合の面倒を無くしている。さらに水力でシリンダを駆動しさらにレバーを駆動して排水弁を開放する注水運転方式は、過程中に電力を消費せず（直流電磁弁を駆動するための少量の電力を除く）、且つ期間の作動部品に錆や故障による運転不能の状況を発生させず、伝統的なモータ、巻軸の巻取り式制御方式に較べ効率的で正確な操作が行なえる。
【考案を実施するための最良の形態】
【０００７】
図１は本考案の各部品の接続関係図である。そのうち、直流電磁弁１が注水セット２と排水セット３の間に設けられ、該電磁弁１は水管４により左向きに注水セット２の注水管２１に接続され、右向きに曲角を通り上向きに排水セット３の上端傍らの気圧シリンダ５に接続される。該気圧シリンダ５はシリンダヘッド５１を具え、その露出端のＵ形部５２がレバー６の中間部を支持する。該レバー６の一端は排水セット３の上部に枢設され、別端の自由端６２に開孔６３が設けられてロープ７が結びつけられている。ロープのもう一端は排水弁８の上部に結びつけられ、排水弁８の一カ所が排水セット３の底端に枢設されている。本考案はまたタンクケースに設けられた検出装置９を具え、該検出装置９は電池９１とセンサ９２を具え、該検出装置９は電磁弁１に接続されている。
【０００８】
本考案が実際にトイレタンク中に取り付けられた状態は図２の平面図及び図３の正面断面図に示されるとおりである。図２に示されるように、本考案の好ましい実施取り付け状態にあって、電磁弁１は注水セット２の垂直前方に取り付けられ、排水セット３及び気圧シリンダ５は電磁弁１及び注水セット２両者間の傍らに設けられる。このほか、注水セット２の上端のアームロッド２２及びその延伸末端のフロート２３は伝統的な貯水高度制御装置とされる。図２中にも示されるように、該検出装置９はタンク１０ケースの外部に取り付けられ、並びに突出する管路９３を利用して電磁弁１に接続され、検出装置９の電池９１及びセンサ９２はいずれもタンク１０の外部に設けられ、これにより水の進入による短絡の状況を発生せず、電磁弁１はタンク１０内に設けられているとはいえ、それは水中に進入しておらず（図３）且つ伝統的な電磁弁１はいずれも気密措置が施されているため、湿気により動作不能となることがない。図２、３に示されるように、本考案は人１１の使用状態下の水位状況を示す（図３）。そのうちタンク１０内の貯水水位は最高である。
【０００９】
本考案の連続操作状態は図２から図７に示されるようであり、図２のように人１１がある時間停留使用してセンサ９２が検出し並びに注水条件に符合すると判断した後、人１１が検出装置９の検出不能な距離まで離れると（図９）、検出装置９が電磁弁１を駆動し注水セット２の注水管２１内の水を水管４より導入し、並びに電磁弁１の別端の水管４が気圧シリンダ５の方向に前進（図８）し、流動する水（矢印の如し）に圧力を発生させて気圧シリンダ５内のシリンダヘッド５１後部に上向きに作用させ、シリンダヘッド５１を上昇させ並びにその上端のＵ形部５２によりレバー６をその枢設端６１を軸として上向きに起こし、さらにこのレバー６の自由端６２によりロープ７が引っ張られ、ロープ７の別端の排水弁８が引き上げられ、排水が便器１２中に流入する（図５）。図６、７に示されるように、人１１が完全に離れて使用完了した時、タンク１０内の水位はすでに最低となっている。排水弁８が新たに閉じられ、及び注水セット２がタンク１０中に水を注入する。
【００１０】
図８を参照されたい。本考案は電磁弁１を利用して注水セット２の水を排水セット３の傍らの気圧シリンダ５中に導入し、その内部のシリンダヘッド５１を上向きに駆動してレバー６の自由端を上に起こし、並びにレバー６の自由端に結びつけられたロープ７を介して排水弁８を引き上げる（図１〜図７）。これにより水が排水弁８に制御された排水口より便器１２中に流入する。上述の注水制御構造中、好ましい実施形態ではシリンダヘッド５１の中心軸にコイルスプリング５３が巻装され、これによりシリンダヘッド５１が水力で押し上げられる時、コイルスプリング５３が圧縮され、電磁弁１が切断される時、水力による押し上げがなくなり、コイルスプリング５３が弾力を開放してシリンダヘッド５１を下に押し戻し、並びにレバー６がこれにより下に降ろされる。このような動作で気圧シリンダ５によりレバー６が駆動されて正確な上昇と下降を行ない、排水弁８が浮力消失して下降する時にレバー６が下がる。図８に示される気圧シリンダ５中、その側面に上下の横方向の開孔５４が設けられ、シリンダヘッド５１の上下行程時の残水をシリンダ外に押し出して、動作時の圧力抵抗を防止している。
【００１１】
本考案は上述の構造形態を有し、排水弁８が軟質で浮力により上下移動する部品である時、該タンク１０内の水量の排出及び制御終了はいずれも排水弁８の浮動位置により定められ、排水弁８の自重が浮力より大きい時は下降して排水口を閉じ、逆であれば、続けて排水口を開放し排水する。このような伝統的な設計は出水量を提供するだけである。本考案は大小便で異なる注水量を提供する要求のため、排水弁を実心で硬質材料に変え、それに浮力による移動を発生させないようにし、即ち引き上げられて排水した後に、レバー６が降ろされてロープ７が排水弁８を引っ張らなくなる時に、排水弁８が自重でもとの位置に復帰して排水を終了し、本考案は図８に示されるようにコイルスプリング５３を利用して強制的にレバー６を回復させ比較的少ない水で、排水して小便状態の注水量を提供する。反対に、大便を流すため大量の排水を必要とする状況では、検出装置９内の回路設計により、センサの検出する時間の長さにより電磁弁１開放の時間を決定し、水力を続けてシリンダヘッドに作用させてレバー６を上昇状態に保持し、これにより排水弁８の自重回復を克服し、こうして大量排水量の目的を達成する。
【００１２】
総合すると、本考案は排水用の水を排水操作を推進する動作エネルギーに変換し、期間に僅かな直流起動電力のみを運用してタンク式トイレに優れた検出式注水能力を具備させている。
【図面の簡単な説明】
【００１３】
【図１】本考案の各部品の接続関係図である。
【図２】本考案の使用中の平面図である。
【図３】本考案の使用中のタンク中の水位及び各部品の位置変化状態を示す正面断面図である。
【図４】本考案の使用中の平面図である。
【図５】本考案の使用中のタンク中の水位及び各部品の位置変化状態を示す正面断面図である。
【図６】本考案の使用中の平面図である。
【図７】本考案の使用中のタンク中の水位及び各部品の位置変化状態を示す正面断面図である。
【図８】本考案の水力駆動注水機構の詳細な説明図である。
【符号の説明】
【００１４】
１  電磁弁                          ２  注水セット
３  排水セット                      ４  水管
５  気圧シリンダ                    ６  レバー
７  ロープ                          ８  排水弁
９  検出装置                        １０  タンク
１１  人                            １２  便器
５１  シリンダヘッド
【図１】
0003104018.tif 000003
【図２】
0003104018.tif 000004
【図３】
0003104018.tif 000005
【図４】
0003104018.tif 000006
【図５】
0003104018.tif 000007
【図６】
0003104018.tif 000008
【図７】
0003104018.tif 000009
【図８】
0003104018.tif 000010